(57)【要約】【課題】  テラス屋根の下支え機能を確保しながら，テラスのコーナー部にアルミの支柱が露出しないようにしてテラスデザインの自由度を確保したテラス壁面を提供する。【解決手段】  テラスＡの屋根１を支持するアルミ支柱１１に断面矩形の発泡樹脂製ブロック１４を被嵌して積上げ接着することによってこれを発泡樹脂製のブロック下地１３とするとともに該ブロック下地１３を選択使用することによって該ブロック下地１３にタイル１８ａ，塗りモルタル１８ｂ，ウッドプレート１８ｃを選択的に設置し得るようにして化粧面１８とした幅広の壁面１０ａ，幅狭の壁面１０ｂを形成して，これをテラスＡのコーナー乃至中間位置に配置することによって該壁面１０ａ，１０ｂをデザイン要素としてテラスＡを，半屋外空間のスペースを備えた新しいコンセプトの商品とする。【選択図】        図１
2005120721.tif 000002
【特許請求の範囲】
【請求項１】
ベース面から垂直に起立配置した壁面構造材をなす単一中央又は平行一対両端のアルミ支柱と，該アルミ支柱の正背面に対接し且つ正背面を幅広とするように上下に積上げ接着した横方向に単一矩形又は複数連結矩形にして断面矩形の壁面下地をなす発泡樹脂製のブロック下地と，該ブロック下地の表面に配置して壁面仕上面をなす化粧面とを備えてなることを特徴とする屋外構築物の壁面構造。
【請求項２】
上記ブロック下地の表面を異種複数面とし該ブロック下地の選択的使用を行なうことによって上記化粧面をタイル，塗りモルタル及び／又はパネル等から選択自在としてなることを特徴とする請求項１に記載の屋外構築物の壁面構造。
【請求項３】
上記化粧面として選択自在のパネルを，上記ブロック下地に支持プレートを介して支持したウッドパネルとしてなることを特徴とする請求項２に記載の屋外構築物の壁面構造。
【請求項４】
上記屋外構築物を半屋外空間を形成するエクステリア構築物とし，上記壁面をそのテラス屋根正面端と床面間に配置してなることを特徴とする請求項１，２又は３に記載の屋外構築物の壁面構造。
【発明の詳細な説明】
【技術分野】
【０００１】
本発明はテラス，バルコニー等の屋外構築物に関し，特にこれに壁面を形成するに用いる屋外構築物の壁面構造に関する。
【背景技術】
【０００２】
この種屋外構築物は，一般に支柱をベース面に起立配置し，該支柱によって屋根を下支え支持するものとされ，このとき該支柱は，例えば方形乃至矩形断面のアルミを押出成形し，これに所定の表面処理を施したアルミ押出材を加工して形成したアルミ支柱とされている。
【０００３】
【特許文献１】特公平３−２５５７４号公報
【発明の開示】
【発明が解決しようとする課題】
【０００４】
この場合アルミ支柱は，一般に色調を主にブロンズ色系とした１０ｃｍ程度の角柱とされることが多く，従ってこのアルミ支柱を用いた屋外構築物は，そのコーナー部分にこれが露出した状態に起立配置されることによって外観が損なわれる傾向があるとともに全体のデザインが制約される傾向があるために，アルミ感の強い構造機能優先の構築物となり易く，このためメーカー間でも個性のない商品となる傾向が強い。
【０００５】
一方この種屋外構築物は，半屋外空間として屋内とも繋がる生活空間とすることができれば，その用途や機能を充実して，新たなコンセプトに基づくエクステリア商品として需要を喚起することも可能となるが，上記アルミ支柱の存在がこれを妨げる傾向があるものと認められる。
【０００６】
本発明はかかる事情に鑑みてなされたもので，その解決課題とするところは，例えば屋根を下支えするという柱の機能を確保した壁面を構成し得るようにすることによってそれ自体の外観を良好に確保するとともに屋外構築物のデザインの自由度を拡大し得るようにした屋外構築物の壁面構造を提供するにある。
【課題を解決するための手段】
【０００７】
上記課題に添って請求項１に記載の発明は，これを，ベース面から垂直に起立配置した壁面構造材をなす単一中央又は平行一対両端のアルミ支柱と，該アルミ支柱の正背面に対接し且つ正背面を幅広とするように上下に積上げ接着した横方向に単一矩形又は複数連結矩形にして断面矩形の壁面下地をなす発泡樹脂製のブロック下地と，該ブロック下地の表面に配置して壁面仕上面をなす化粧面とを備えてなることを特徴とする屋外構築物の壁面構造としたものである。
【０００８】
請求項２に記載の発明は，上記に加えて，上記化粧面を複数のうちから選択使用し又は複合使用することによって壁面デザインを多様化し，屋外構築物のデザインの自由度を更に向上するものとし得るように，これを，上記ブロック下地の表面を異種複数面とし該ブロック下地の選択的使用を行なうことによって上記化粧面をタイル，塗りモルタル及び／又はパネル等から選択自在としてなることを特徴とする請求項１に記載の屋外構築物の壁面構造としたものである。
【０００９】
請求項３に記載の発明は，同じく上記に加えて，ウッドパネルを使用可能とするとともにそのパネル重量を確実に支持して壁面としての耐久性を確保したものとし得るように，これを，上記化粧面として選択自在のパネルを，上記ブロック下地に支持プレートを介して支持したウッドパネルとしてなることを特徴とする請求項２に記載の屋外構築物の壁面構造としたものである。
【００１０】
請求項４に記載の発明は，同じく上記に加えて，これら屋外構築物を上記生活空間として使用可能にして提案型のエクステリア商品とし得るように，これを，上記屋外構築物を半屋外空間を形成するエクステリア構築物とし，上記壁面をそのテラス屋根正面端と床面間に配置してなることを特徴とする請求項１，２又は３に記載の屋外構築物の壁面構造としたものである。
【００１１】
本発明はこれらをそれぞれ発明の要旨として上記課題解決の手段としたものである。
【発明の効果】
【００１２】
本発明は以上のとおりに構成したから，請求項１に記載の発明は，単一中央又は平行一対両端のアルミ支柱が壁面構造材として，例えば屋根を下支えするという柱の機能とその壁強度を確保する一方，発泡樹脂製のブロック下地が化粧面の下地としてアルミ支柱より正背面を幅広とし奥行をその肉厚分厚くした壁面の寸法を確保して弾性を有する化粧面の下地として耐衝撃吸収性を確保し，また化粧面が表面の色調乃至質感を確保して，それ自体外観を良好とした壁面を構成するとともに屋外構築物のデザインの自由度を拡大した屋外構築物の壁面構造を提供することができる。
【００１３】
請求項２に記載の発明は，上記に加えて，上記化粧面を，外観のよい窯業系材料，現場施工のモルタル仕上，各種パネル等の，質感に優れた複数のうちから選択使用し又は複合使用することによって壁面デザインを多様化し，屋外構築物のデザインの自由度を更に向上したものとすることができる。
【００１４】
請求項３に記載の発明は，同じく上記に加えて，ウッドパネルを使用可能とするとともにそのパネル重量を確実に支持して壁面としての耐久性を確保したものとすることができる。
【００１５】
請求項４に記載の発明は，同じく上記に加えて，これら屋外構築物を上記生活空間として使用可能にして提案型のエクステリア商品とすることができる。
【発明を実施するための最良の形態】
【００１６】
以下図面の例に従って本発明を更に具体的に説明すれば，Ａは，例えば半屋外空間として屋内とも繋がる生活空間とすることによって用途や機能を充実したコンセプトに基づくエクステリア商品とした，図示省略の建物に付設した屋外構築物であり，本例の屋外構築物Ａは，幅広にして出幅の大きなテラス屋根１の出幅方向先端の正面側両側のコーナー部及び該コーナー部間の中間部に３ヶ所の壁面１０ａ，１０ｂを配置し，該テラス屋根１の両側から出幅方向前後中間位置を仕切ることによってサンルームスペースを形成可能な蛇腹状折畳み戸２を開閉自在に配置する一方，その前後方向前方に半屋外空間として屋根付開放スペース４を配置した，主としてアルミ押出材を用いて組立施工したアルミ製のテラスとしてあり，該テラスとした本例の屋外構築物Ａは，更にそのテラス屋根１の一側妻側に該テラス屋根１の上記一方の壁面１０ｂと更に別の４ヶ所目の壁面１０ｂに支持して格子状のウッドルーフ５を連結配置してこれを開放空間のスペース６としたものとしてあり，これによってテラスの屋外構築物Ａは上記蛇腹状折畳み戸２を閉成してサンルームとして使用し，これを開放し又は上記半屋外空間のみを使用して屋根付スペース４として，ウッドルーフ５のスペース６とともに，例えばパーティ，日曜大工作業等のアウトドアの用途に使用し得るようにしてある。
【００１７】
このとき壁面１０ａ，１０ｂは，いずれもベース面から垂直に起立配置した壁面構造材をなす単一中央又は平行一対両端のアルミ支柱１１と，該アルミ支柱１１の正背面に対接し且つ正背面を幅広とするように上下に積上げ接着した横方向に単一矩形又は複数連結矩形にして断面矩形の壁面下地をなす発泡樹脂製のブロック下地１３と，該ブロック下地１３の表面に配置して壁面仕上面をなす化粧面１８とを備えたものとし，本例にあって該ブロック下地１３の表面を異種複数面とし該ブロック下地１３の選択的使用を行なうことによって上記化粧面１８をタイル１８ａ，塗りモルタル１８ｂ及び／又はパネル１８ｃ等から選択自在としたものとし，このとき該化粧面１８として選択自在のパネル１７ｃは，これを，上記ブロック下地１３に支持プレート１８を介して支持したウッドパネルとしたものとしてあり，これによって主としてアルミ押出材を用いながら，可及的にアルミ押出材の支柱が露出するのを防止するとともに庭に設置する屋外構築物として良好な外観を確保したものとしてある。
【００１８】
本例にあって壁面は，屋外構築物Ａの３ヶ所においてその正面右側及び中間に幅広の，例えば１ｍ幅程度としたもの１０ａを，左側に幅狭の，例えば３０ｃｍ幅程度としたもの１０ｂを配置し，本例において連結配置した上記ウッドルーフ５の４ヶ所目において同じく幅狭のもの１０ｂを使用してある。
【００１９】
このとき異幅のうち幅狭の壁面１０ｂには，上記単一中央のアルミ支柱１１を用い，幅広の壁面１０ｂには平行一対両端のアルミ支柱１１を用いて，これを芯材とするように発泡樹脂製ブロック１３を配置してブロック下地１３を形成し，該ブロック下地１３に対して，本例にあっては正面右側の幅広のもの及び上記ウッドルーフの４ヶ所目の幅狭のものにおいてその四周の下方をタイル１８ａ，上方を塗りモルタル１８ｂとし，正面中間の幅広のものにおいてその四周の全面をタイル１８ａとし，更に正面左側の幅狭のものにおいて正背面の下方をタイル１８ａ，上方を塗りモルタル１８ｂ，両側面をパネル１８ｃ，特にウッドパネルとした化粧面１８として構成してある。
【００２０】
即ち本例のアルミ支柱１１は上記幅広，幅狭に共通化した，中央にホロー部をその前後に突出突片を配置した断面略Ｈ字状のものを用いてあり，このとき幅広のものにあっては，例えばその上下に横枠１２を配置して間隔を規制して正面ロ字状をなす状態とし，これに，例えば上記１ｍ程度の長尺の発泡樹脂製ブロック１４とその長手方向両端のジョイント部に交差連結した奥行幅（厚さ）に応じた短尺の，本例にあっては２０ｃｍ程度の発泡樹脂製ブロック１４とによって，横方向に複数連結矩形にして平面において断面矩形中空のボックス状としたブロック下地１３を，本例にあってアルミ支柱１１の正背面と側面，即ち上記突片の面とその先端に対接するように積上げ被嵌配置するとともにその上下端を相互に合决り嵌合して積上げ接着することによってアルミ支柱１１の上方向全長高さに亘るように配置してあり，該ブロック下地１３に上記化粧面１８を形成したものとしてあり，また幅狭のものにあっては上記長尺の発泡樹脂製ブロック１４に代えて，例えば上記３０ｃｍ程度の短尺の発泡樹脂ブロック１４を用い，アルミ支柱１１の側面から離した状態に被嵌してブロック下地１３を配置する以外は上記幅広のものと同様となるようにしてある。
【００２１】
このとき発泡樹脂製ブロック下地１３は，化粧面１８の下地としてタイル用，塗りモルタル用，パネル用に合せてその表面を異種複数面としてあり，タイル用のものは，タイル１８ａの裏面に形成した係止部と嵌合係止する支持係止部１５をタイルピッチに合せて突出具備したものとし，塗りモルタル用のものはフラットな発泡面を具備したものとし，またパネル用のもの，本例にあっては上記側面において，上記支持プレート１９をアルミ支柱１１長手方向所定位置に金具連結するに用いる金具２０を挿通するように積上げ被嵌によって形成される透孔１６を具備したものとしてある。
【００２２】
従ってタイル１８ａは，上記ブロック下地１３に接着剤を塗布した状態で，その支持係止部１５に裏面の係止部を嵌合係止してその固定とこれによる化粧面１８の仕上を行い，塗りモルタル１８ｂは，例えば乾燥収縮によるクラックを防止するように上記ブロック下地１３の上下端の継目間にファイバーテープ１７を貼着した後に全面にモルタルを所定厚さに塗付けてその化粧面１８の仕上を行い，またパネル１８ｃ，本例にあってはウッドパネルは，上記透孔１６を介して挿通した金具２０をアルミ支柱１１に設置し又はアルミ支柱１１に固定したブラケットの受孔（図示省略）に引掛け支持してブロック下地１３の両側面に支持プレート１９を配置し，アルミ支柱１１上で該両側面の支持プレート１９上端に載置した横枠２１によって連結してその固定を行い，該支持プレート１９に，本例にあって防腐処理を施した無垢板のウッドパネル１８ｃを幅方向両側で長手方向複数の所定箇所でネジ止めすることによってその固定とこれによる化粧面１８の仕上を行ったものとしてある。
【００２３】
このように形成した壁面１０ａ，１０ｂは，アルミ支柱１１をベース面に垂直に起立配置した後に該アルミ支柱１１に対して上記ブロック下地１３の配置，化粧面１８の配置を行う順番の施工方法によってその設置を行うものとしてあり，本例にあって壁面１０ａ，１０ｂはその下端をベース面の地面に埋込んでその設置してあり，該地面への埋込は，底面の栗石２４上にアンカー付の埋込支柱２３を載置し，該埋込支柱２３を介して仕上面の下端が土中に埋込状態となるようにその起立配置の施工を行ったものとしてある。このとき上記テラス屋根１及びウッドルーフ５はアルミ支柱１１の設置後乃至壁面１０ａ，１０ｂの設置後にその配置を行うものとして，該壁面１０ａ，１０ｂ，特にそのアルミ支柱１１を屋根の下支え用の構造材として使用するものとしてある。
【００２４】
このように形成した壁面１０ａ，１０ｂは，その幅狭の単一中央のアルミ支柱１１，幅広の平行一対両端のアルミ支柱１１が，それぞれ柱の機能とその壁強度を確保し，発泡樹脂製のブロック下地１３が化粧面１８の下地としてアルミ支柱１１より正背面を幅広とし奥行をその肉厚分厚くした壁面１０ａ，１０ｂの寸法を確保して弾性を有する化粧面１８下地として耐衝撃吸収性を確保し，また化粧面１８が，外観のよい窯業系タイル１８ａ，現場施工の塗りモルタル１８ｂ，ウッドパネル１８ｃの仕上面をなし壁面１０ａ，１０ｂにおける表面の色調乃至質感を確保したものとしてありあり，このとき壁面１０ａ，１０ｂ設置箇所，その幅の選択，上記ブロック下地１３と化粧面１８の組合せによる壁面デザインの選択とによって，屋外構築物Ａのデザインを多様化することが可能となり，従来にない商品コンセプトのテラス等の屋外構築物Ａを提供することができる。
【００２５】
図中３は仕切と装飾を兼ねて上記半屋外空間の屋根付開放スペース４に設置したスクリーン，２２は壁面，特に幅広の壁面１０ａに設置したガラスブロックの採光窓を示す。
【００２６】
図示した例は以上のとおりとしたが，ブロック下地を横方向に単一矩形の断面をなす一体のものとすること，パネルを使用するとき該パネルを石膏ボード，合板，樹脂ボード等のものとすること等を含めて，本発明の実施に当って，アルミ支柱，ブロック下地，化粧面，必要に応じて用いるタイル，塗りモルタル，パネル，支持プレート等の各具体的形状，材質，構造，これらの関係，これらに対する付加等は，上記発明の要旨に反しない限り様々の形態のものとすることができる。
【図面の簡単な説明】
【００２７】
【図１】屋外構築物の斜視図である。
【図２】上方を塗りモルタル，下方をタイルとした幅広の壁面の斜視図である。
【図３】全面をタイルとした幅広の壁面の斜視図である。
【図４】上方を塗りモルタル，下方をタイルとし，側面をウッドパネルとした幅広の壁面の斜視図である。
【図５】幅広の壁面における支柱とタイル用のブロック下地との関係を示す施工途中の斜視図である。
【図６】幅広の壁面における支柱と上方塗りモルタル用のブロック下地との関係を示す施工途中の斜視図である。
【図７】幅狭の壁面における支柱とタイル用のブロック下地との関係を示す施工途中の斜視図である。
【図８】幅狭の壁面における正面タイル用，側面パネル用のブロック下地と支持プレートとの関係を示す施工途中の斜視図である。
【図９】幅狭の壁面の支柱埋込状態を示す断面図である。
【符号の説明】
【００２８】
Ａ  屋外構築物
１  テラス屋根
２  蛇腹状折畳み戸
３  スクリーン
４  屋根付開放スペース
５  ウッドルーフ
６  開放空間スペース
１０ａ，１０ｂ  壁面
１１  アルミ支柱
１３  ブロック下地
１８  化粧面
１８ａ  タイル
１８ｂ  塗りモルタル
１８ｃ  ウッドパネル
１９  支持プレート
２０  金具
【図１】
2005120721.tif 000003
【図２】
2005120721.tif 000004
【図３】
2005120721.tif 000005
【図４】
2005120721.tif 000006
【図５】
2005120721.tif 000007
【図６】
2005120721.tif 000008
【図７】
2005120721.tif 000009
【図８】
2005120721.tif 000010
【図９】
2005120721.tif 000011